(57)【要約】光を導くライトガイドであって、その全長の少なくとも一部に沿って光の一部を発することができるライトガイドと、音を検知するための検知手段と、上記ライトガイドを照明するための照明手段とを含み、上記照明手段は、上記検知手段による音の検知に基づいて、上記ライドガイドの少なくとも一部を照明するように動作するノベルティ装置。
2005534382.tif 000002
【特許請求の範囲】
【請求項１】
（ａ）光を導くライトガイドであって、その全長の少なくとも一部に沿って光の一部を発することができるライトガイドと、
（ｂ）音を検知するための検知手段と、
（ｃ）前記ライトガイドを照明するための照明手段と、
を含み、
前記照明手段が、前記検知手段による音の検知に基づいて、前記ライドガイドの少なくとも一部を照明するように動作する、ノベルティ装置。
【請求項２】
前記照明手段が、所定の音量レベル、周波数閾値を上回るまたは下回る音、あるいは所定の範囲内の音が検知されると、前記ライトガイドを照明するように動作する、請求項１に記載のノベルティ装置。
【請求項３】
音量レベル、周波数閾値、または、所定の範囲を調整するための手段を更に含む、請求項２に記載のノベルティ装置。
【請求項４】
前記照明手段が、検知された音の音量レベルまたは周波数に応じた強度で前記ライトガイドを照明する、先行する請求項のいずれか一項に記載のノベルティ装置。
【請求項５】
所定の音量レベル、周波数閾値、または、所定の範囲における照度を調整するための手段を更に含む、請求項４に記載のノベルティ装置。
【請求項６】
前記ライトガイドが、前記検知手段によって検知された音の音量レベルまたは周波数に比例する強度で照明される、請求項４または５に記載のノベルティ装置。
【請求項７】
照明の強度が、検知された音の音量レベルまたは周波数が閾値を超える度合いに関連付けられている、先行する請求項のいずれか一項に記載のノベルティ装置。
【請求項８】
前記検知手段の感度を調整するための手段を含む、先行する請求項のいずれか一項に記載のノベルティ装置。
【請求項９】
前記ライトガイドが光ファイバケーブルである、先行する請求項のいずれか一項に記載のノベルティ装置。
【請求項１０】
前記照明手段が、前記ライトガイドの少なくとも１つの端部に当接して、または近接して配置されている、先行する請求項のいずれか一項に記載のノベルティ装置。
【請求項１１】
前記照明手段が、少なくとも１つの発光ダイオードを含む、先行する請求項のいずれか一項に記載のノベルティ装置。
【請求項１２】
前記照明手段が、
（ａ）前記ライトガイドの各端部にそれぞれ近接して設けられた２つの発光ダイオード；
（ｂ）前記ライトガイドの各端部にそれぞれ２つずつ近接して設けられた４つの発光ダイオード；
のうちの一方からなる、請求項１０に記載のノベルティ装置。
【請求項１３】
前記照明手段が、少なくとも２つの異なる色の光で前記ライトガイドを照明することができる、先行する請求項のいずれか一項に記載のノベルティ装置。
【請求項１４】
前記照明手段が、前記ライトガイドの第１の部分を第１の色で照明し、前記ライトガイドの第２の部分を前記第１の色と異なる第２の色で照明する、先行する請求項のいずれか一項に記載のノベルティ装置。
【請求項１５】
前記ライトガイドが、その一部が前記第１の色と前記第２の色との混合によって形成される色で照明されるように、前記第１の色および前記第２の色で同時に照明される、請求項１４に記載のノベルティ装置。
【請求項１６】
前記照明手段が、第１の照明手段と第２の照明手段とを含み、第１の音特性で音が検知される際に前記第１の照明手段が動作し、第２の音特性で音が検知される際に前記第２の照明手段が動作する、先行する請求項のいずれか一項に記載のノベルティ装置。
【請求項１７】
前記第１および第２の音特性がそれぞれ、
（ａ）所定の音量；
（ｂ）所定の周波数；
（ｃ）所定の音量範囲；
（ｄ）所定の周波数範囲；
のうちの１つである、請求項１６に記載のノベルティ装置。
【請求項１８】
前記検知手段と前記照明手段との間の相互作用を制御するためのマイクロ処理手段を含む、先行する請求項のいずれか一項に記載のノベルティ装置。
【請求項１９】
前記照明手段が、前記ライトガイド全体を発光させるように動作する、先行する請求項のいずれか一項に記載のノベルティ装置。
【請求項２０】
前記ライトガイドが、その一部が複数の色の混合によって形成される色で照明されるように複数の色で同時に照明される、先行する請求項のいずれか一項に記載のノベルティ装置。
【請求項２１】
前記照明手段が、４つ以上の光の波長を使用する、先行する請求項のいずれか一項に記載のノベルティ装置。
【請求項２２】
前記照明手段が、
（ａ）第１の照明手段と、
（ｂ）第２の照明手段と、
（ｃ）第３の照明手段と、
（ｄ）第４の照明手段と、
を含み、
第１、第２、第３および／または第４の照明手段がそれぞれ、第１、第２、第３および／または第４の対応する所定の閾値レベルを上回る音および／または周波数、前記閾値レベルを下回る音および／または周波数、または、前記閾値レベルの音および／または周波数が検知されることにより動作する、先行する請求項のいずれか一項に記載のノベルティ装置。
【請求項２３】
前記第１、第２、第３、第４の照明手段が、互いに個別に動作する、請求項２２に記載のノベルティ装置。
【請求項２４】
前記第１、第２、第３、第４の照明手段のうちの２つ以上が順次に動作する、請求項２２または２３に記載のノベルティ装置。
【請求項２５】
前記第１、第２、第３、第４の照明手段のうちの２つ以上が、予めプログラムされたシーケンスで動作する、請求項２２〜２４のいずれか一項に記載のノベルティ装置。
【請求項２６】
前記第１、第２、第３または第４の所定の閾値レベルのうちの１つまたは複数を調整するための手段を更に含む、先行する請求項のいずれか一項に記載のノベルティ装置。
【請求項２７】
照明手段のうちの１つまたは複数の一括動作あるいは個別動作を選択するための手段を更に含む、請求項２２〜２６のいずれか一項に記載のノベルティ装置。
【請求項２８】
前記ライトガイドが、音が第１の音レベルで検知される時には第１の強度で照明され、音が第２の音レベルで検知される時には第２の強度で照明され、前記第２の音レベルが前記第１の音レベルよりも小さい場合には、前記第１の強度が前記第２の強度よりも大きい、先行する請求項のいずれか一項に記載のノベルティ装置。
【請求項２９】
装置が連続的に照明され、音特性が検知されると、前記照明手段が前記ライトガイドの少なくとも一部の照度を下げる、請求項１に記載のノベルティ装置。
【請求項３０】
個人的な装飾装置である、先行する請求項のいずれか一項に記載のノベルティ装置。
【請求項３１】
音を検知するための前記検知手段が、マイクロフォンを含む、先行する請求項のいずれか一項に記載のノベルティ装置。
【請求項３２】
前記検知手段と前記照明手段とを収容するための制御ユニットを含む、先行する請求項のいずれか一項に記載のノベルティ装置。
【請求項３３】
前記制御ユニットが、前記ライトガイドの一端部に結合される、請求項３２に記載のノベルティ装置。
【請求項３４】
前記制御ユニットが、前記ライトガイドの各端部に結合されている、請求項３２または３３に記載のノベルティ装置。
【請求項３５】
前記ライトガイドの各端部にそれぞれ設けられる２つの制御ユニットを含む、請求項３２〜３４のいずれか一項に記載のノベルティ装置。
【請求項３６】
前記制御ユニットが、前記ライトガイドに対して取り外し可能に結合されている、請求項３２〜３５のいずれか一項に記載のノベルティ装置。
【請求項３７】
前記制御ユニットが、前記ライトガイドの一端を解放可能に受けるための少なくとも１つのソケットを含む、請求項３２〜３６のいずれか一項に記載のノベルティ装置。
【請求項３８】
前記制御ユニットが、前記ライトガイドの一端を受けるためのソケットをその両端部に含む、請求項３７に記載のノベルティ装置。
【請求項３９】
前記ライトガイドが柔軟である、先行する請求項のいずれか一項に記載のノベルティ装置。
【請求項４０】
音を検出すると、前記照明手段が、予め設定されたプログラムにしたがって動作して前記ライトガイドを照明する、先行する請求項のいずれか一項に記載のノベルティ装置。
【請求項４１】
予め設定されたプログラムを調整する、または選択するための手段を更に含む、請求項４０に記載のノベルティ装置。
【請求項４２】
個人的装飾装置であって、
（ａ）光を導くライトガイドであって、その全長の少なくとも一部に沿って光の一部を発することができるライトガイドと、
（ｂ）前記ライトガイドに結合されるとともに、照明するための照明手段を含み、前記照明手段が所定のプログラムにしたがって光を前記ライトガイド内に方向付ける制御ユニットと、
を含む、個人的装飾装置。
【請求項４３】
前記制御ユニットが、使用者が前記制御ユニットに対して前記ライトガイドを着脱できるように、前記ライトガイドに対して取り外し可能に結合されている、請求項４２に記載の個人的装飾装置。
【請求項４４】
音を検知するための手段を更に含み、結合状態で且つ音が検知された際に、前記照明手段が動作されて光が前記ライトガイド内に方向付けられる、請求項４２または４３に記載の個人的装飾装置。
【請求項４５】
前記ライトガイドが柔軟なストリップ部材である、請求項４２〜４４のいずれか一項に記載の個人的装飾装置。
【請求項４６】
前記ライトガイドが円形状または８の字形状に配置されている、請求項４２〜４５のいずれか一項に記載の個人的装飾装置。
【請求項４７】
前記ライトガイドの各端部が前記制御ユニットに結合されている、請求項４６に記載の個人的装飾装置。
【請求項４８】
少なくとも１つの制御ユニットを含むノベルティ装置であって、
前記制御ユニットが、
（ａ）前記制御ユニットを１つまたは複数のライトガイドに対して取り外し可能に結合するための結合手段と、
（ｂ）前記制御ユニットと前記ライトガイドとが結合状態にある時にライトガイドを照明するための照明手段であって、光を前記ライトガイド内に方向付けるように動作することにより、光が前記ライトガイドを通じて方向付けられ前記ライトガイドの全長の少なくとも一部に沿って放射される照明手段と、
を含む、ノベルティ装置。
【請求項４９】
前記制御ユニットが、前記ライトガイドの一端を解放可能に受けるように構成されている、請求項４８に記載のノベルティ装置。
【請求項５０】
前記制御ユニットが、前記ライトガイドを円形状に配置するべく前記ライトガイドの両端を解放可能に受けるように構成されている、請求項４８または４９に記載のノベルティ装置。
【請求項５１】
前記制御ユニットが、前記照明手段に対して電気的に接続されて音を検知する検知手段を含み、前記照明手段が、音の検知に基づいて前記ライトガイドの少なくとも一部を照明するように動作する、請求項４８〜５０のいずれか一項に記載のノベルティ装置。
【請求項５２】
ノベルティー装置であって、
（ａ）一組の照明ユニットと、
（ｂ）１つまたは複数のライトガイドと、
を含み、
前記各照明ユニットが、前記ライトガイドの一端を解放可能に受けるための１つまたは複数のソケットを含む、ノベルティ装置。
【請求項５３】
ノベルティー装置であって、
（ａ）光を導くライトガイドであって、その全長の少なくとも一部に沿って光の一部を発することができるライトガイドと、
（ｂ）前記ライトガイドを照明するための照明手段と、
を含み、前記照明手段が、
（i）第１の波長の光を前記ライトガイドを通じて方向付けるための第１の照明手段と、
（ii）第２の波長の光を前記ライトガイドを通じて方向付けるための第２の照明手段と、
を含み、
前記第１および第２の波長が異なる波長である、ノベルティ装置。
【請求項５４】
音を検知するための検知手段を更に含み、音の検知に基づいて前記第１の照明手段および／または前記第２の照明手段が動作する、請求項５３に記載のノベルティ装置。
【請求項５５】
前記第１および第２の照明手段のうちの一方が音の検知に基づいて動作し、前記第１および第２の照明手段のうちの他方が所定のプログラムに基づいて動作する、請求項５４に記載のノベルティ装置。
【請求項５６】
第１の音特性を検知すると前記第１の照明手段が応答し、第２の音特性を検知すると前記第２の照明手段が応答する、請求項５４に記載のノベルティ装置。
【請求項５７】
ポータブルノベルティ装置であって、
（ａ）１つまたは複数のストリップ部材と、
（ｂ）１つまたは複数の制御ユニットと、
を含み、前記各制御ユニットが、
（i）前記ストリップ部材を照明するための照明手段と、
（ii）前記制御ユニットをモジュール形態で前記１つまたは複数のストリップ部材に対して取り外し可能に結合するための結合手段と、
を含む、ポータブルノベルティ装置。
【請求項５８】
前記ストリップ部材が、光を導くことができ且つその全長の少なくとも一部に沿って光の一部を発することができるライトガイドである、請求項５７に記載のポータブルノベルティ装置。
【請求項５９】
２つの前記制御ユニット同士が、使用者の身体の一部の周りに装着するのに適した円形状または８の字形状を成す前記ストリップ部材により接続されている、請求項５７または５８に記載のポータブルノベルティ装置。
【請求項６０】
照明ポータブルノベルティ装置であって、
（ａ）柔軟なライトガイドと、
（ｂ）前記ライトガイドを照明するための照明手段と、
を含み、
前記照明手段が、所定のプログラムによって動作されると、前記ライトガイドの少なくとも一部を照明して輝いた外観を与えるように機能する、照明ポータブルノベルティ装置。
【請求項６１】
音出力電子装置であって、
（ａ）光を導くライトガイドであって、その全長の少なくとも一部に沿って光の一部を発することができるライトガイドと
（ｂ）前記音出力電子装置から発せられる音に応じて前記ライトガイドを照明するための照明手段と、
を含み、
前記照明手段が、前記音出力電子装置による音の検知に基づいて前記ライトガイドの少なくとも一部を照明するように動作する、音出力電子装置。
【請求項６２】
前記ライトガイドが光ファイバである、請求項６１に記載の音出力電子装置。
【発明の詳細な説明】
【発明の分野】
【０００１】
本発明は、広義には、インタラクティブなノベルティ装置に関する。特に、本発明は、その照明によって使用者および使用者の周囲を楽しませるインタラクティブなブレスレットまたはネックレスに関するが、これらに限らない。
【発明の背景】
【０００２】
光を発して興味深い色を作り出す玩具およびノベルティ物品は、常に、子供および大人の両者を魅了する。
【０００３】
このような１つのノベルティ物品は、グロースティックまたはライトスティックとして知られている。このスティックは、柔軟なプラスチックの外側チューブと脆い内側チューブとを有するチューブからなる。第１の液体が内側チューブ内に保持され、第２の液体が外側チューブと内側チューブとの間に保持されている。チューブが曲げられると、内側チューブが壊れ、それより、２つの液体が混合されて化学的な反応が起こり、スティックが輝かしい華美な光を放つ。スティックが十分に柔軟である場合には、ブレスレットやバンドのようにスティックを使用者の周囲に配置して、暗闇の中で光を発する宝石類を形成することができる。これらのスティックは、活性化した後に４時間〜１２時間程度で輝きが次第に消失するという限られた目新しい価値を有する。スティックは、再び活性化することができず、基本的には１回しか使用できない物である。
【０００４】
米国特許第６，０５０，６９５号は、互いに近接した際に光を放つリングやロケット等の一対の宝石類物品について記載している。
【０００５】
なお、この中には、本発明の事状を説明するために、この発明に対する背景技術の説明が含まれている。また、本請求項のいずれかの優先日に引用された任意の材料が公表され、知られ、または共通の一般的な知識となったことが自白として解釈されるべきではない。
【０００６】
本発明の目的は、使用して操作して装着するのが楽しくて面白い新しいタイプのノベルティ装置を提供することである。
【発明の概要】
【０００７】
本発明の第１の態様は、
光を導くライトガイドであって、その全長の少なくとも一部に沿って光の一部を発することができるライトガイドと、
音を検知するための検知手段と、
上記ライトガイドを照明するための照明手段と、
を含み、
上記照明手段が、上記検知手段による音の検知に基づいて、上記ライドガイドの少なくとも一部を照明するように動作するノベルティ装置に関する。
【０００８】
本発明の１つ特有の利点は、音と光との相互作用によって作られる娯楽的な価値である。この相互作用は、使用者を魅了し続けるとともに、従来において提供された静的で無反応なグロースティックよりもその訴求力を失う可能性が殆ど無い興味深く且つインタラクティブなノベルティ装置を提供する。
【０００９】
上記照明手段は、所定の音量レベル、周波数閾値を上回るまたは下回る音、あるいは所定の範囲内の音が検知されると、上記ライトガイドを照明するように動作することが好ましい。本発明の１つの形態は、音量レベル、周波数閾値、または、所定の範囲を調整するための調整手段を含む。これにより、使用者は、装置が特定の音に反応するように装置を調節することができる。大きな雑音が存在する場合には、装置が絶えず照明されないように上記調整手段が比較的高いレベルに設定されてもよい。雑音が小さい場合には、装置が僅かなノイズにさえ反応してささやき声等の静かな音を拾うことができるように、上記調整手段が使用者によって調節されてもよい。
【００１０】
上記照明手段は、任意の適当な強度でライトガイドを照明してもよい。この強度は、照明が成された際に照明が所定の強度で行なわれるように一定であってもよい。本発明の１つの随意的な形態において、装置のライトガイドは、検知された音の音量レベルまたは周波数に応じた強度で照明される。ライトガイドは、検知手段によって検知された音の音量レベルまたは周波数に比例する強度で照明されてもよい。照明の強度は、随意的には、検知された音の音量レベルまたは周波数が閾値を超える度合いに関連付けられてもよい。本発明の１つの形態において、装置は、所定の音量レベル、周波数閾値、または、所定の範囲における照度を調整するための手段を含む。強度を変えられる照明を行なうと、更に興味深く面白い特徴を有するノベルティ装置を提供できる。例えば、使用者が装置の近くで叫んだり大声で話をしたりすると、装置が明るく輝きまたは照明され、一方、使用者が静かに話をすると、装置が比較的低い強度で輝きまたは照明される。
【００１１】
所定の周波数または周波数範囲を検知するために所定の周波数閾値をプログラミングすることができる。ノベルティ装置は、例えば、複数の予め設定されたまたは可変の周波数を検知するように動作してもよい。これにより、ノベルティ装置は、低音周波数と高音周波数と他の周波数とを区別することができる。例えば、低音周波数が検知されると、照明手段は第１の態様（例えば第１の色）でライトガイドを照明するべく動作し、一方、高音周波数が検知されると、照明手段は第２の態様（例えば第２の色）でライトガイドを照明するべく動作する。低音周波数および高音周波数が検知される場合、照明手段は、第１の色と第２の色とを組み合わせた色でライトガイドを照明するべく動作してもよい。これにより、装置は、装置の近傍の音を視覚的に正確に表現することができる。
【００１２】
装置は、随意的には、上記検知手段の感度を調整するための手段を有していてもよい。これにより、使用者は、装置の感度をその周囲と合うように調整することができる。例えば、ノイズが高い環境下において、使用者は、雑音を効果的に無視するように検知手段の感度を下げることができる。この感度調整は、監視回路の飽和状態を防止してライトガイドが連続的に照明されないようにするために使用できる。
【００１３】
ライトガイドは、光を導光し且つその全長に沿って光の少なくとも一部を発することができる任意の適当な材料によって形成されてもよい。ライトガイドは光ファイバケーブルであることが好ましい。
【００１４】
本発明者は、１つの特に適したタイプのライトガイドが、その全長に沿って微細な凹凸を含むことにより光の内部屈折を乱して光が全長にわたって放出されるようにする光ファイバケーブルからなることに気が付いた。１つの適したケーブルは、透明なシースを伴う複数の独立した素線を有するマルチスタンドケーブルである。他の適したケーブルは、中実なライトガイド、または、光を乱すガラスの微細な破片および他の粒子を全長にわたって組み込む中実で柔軟な高分子によって形成される軽量パイプである。光は、様々な粒子を全長にわたって有するケーブルを通じて効果的に導光され、これにより、ケーブルの全長に沿う以外に方向が分散される。
【００１５】
ライトガイドは任意の適当な厚さを有していてもよい。本発明と共に使用するには、直径が約５ｍｍおよび１０ｍｍのライトガイドが特に適していることが分かっている。ライトガイドは、柔軟であることが好ましいが、必要に応じて硬質材料から成っていてもよい。
【００１６】
また、各ノベルティ装置が１つまたは複数のライトガイドを有していてもよい、ことは言うまでもない。１本のライトガイドを使用する特有の利点は、ライトガイド内に電子部品を設ける必要なくその全長にわたって照明できるという点である。光は、材料の性質に起因して、材料により反射される。ライトガイドは、使用者に危険をもたらすことなく且つノベルティ装置の機能を損なうことなく使用者が簡単に切り取りあるいは切断することができる材料によって形成されていることが特に好ましい。例えば使用者がライトガイドの長さを短くしたいと考える場合、使用者は、ノベルティ装置の機能に影響を与えたり機能を損なったりすることなく、ライトガイドを簡単に分断してその一部を除去することができる。
【００１７】
照明手段は、ライトガイドを照明できる装置内の任意の適当な位置に配置されてもよい。照明手段は、ライトガイドの少なくとも１つの端部に当接してあるいは近接して配置され、それにより、光をライトガイド内に方向付けることが好ましい。
【００１８】
任意の適当な照明手段が本発明と共に使用されてもよい。１つの特に好ましい照明手段は発光ダイオード（ＬＥＤ）である。また、照明手段は、ライトガイドの各端部にそれぞれ近接して設けられた２つの発光ダイオード、または、ライトガイドの各端部にそれぞれ２つずつ近接して設けられた４つの発光ダイオードのうちのいずれかから成っていてもよい。本発明の１つの更なる形態において、ＬＥＤは、そこから発せられる光の波長（結果的には色）を変更して異なる色の光を発することができるようになっている。
【００１９】
照明手段は、少なくとも２つの異なる色の光でライトガイドを照明できることが好ましい。照明手段は、ライトガイドの第１の部分を第１の色で照明し、ライトガイドの第２の部分を第１の色と異なる第２の色で照明してもよい。ライトガイドは、随意的には、その一部が上記第１の色と上記第２の色との混合によって形成される色で照明されるように、上記第１の色および上記第２の色で同時に照明されてもよい。これにより、装置への興味が増大される。すなわち、装置は、音と光と色との相互作用を与えることができる。ライトガイド内の異なる色は、一緒に混合されることにより１つの複合色を形成してもよい。また、ライトガイドは、その異なる部分で２つ以上の色を表示してもよい。
【００２０】
照明手段が第１の照明手段と第２の照明手段とを含み、第１の音特性で音が検知される際に上記第１の照明手段が動作し、第２の音特性で音が検知される際に上記第２の照明手段が動作してもよい。これにより、２つの照明手段を一括してまたは単独で動作させることができる。これらの照明手段は、任意の適当な音特性に応答してもよい。例えば、第１および／または第２の照明手段のそれぞれにおける音特性は、所定の音量、所定の周波数、所定の音量範囲、所定の周波数範囲のうちの１つであってもよい。ノベルティ装置は、４つ以上の照明手段を用いて同様に動作してもよい。
【００２１】
本発明の他の代替的なあるいは付加的な形態において、照明手段はライトガイド全体を発光させるように動作する。ライトガイドは、その一部が複数の色の混合によって形成される１つの色で照明されるように複数の色で同時に照明されることが好ましい。ノベルティ装置は、４つ以上の光の波長を使用する照明手段を有していてもよい。
【００２２】
本発明の更なる他の形態においては、照明手段が第１の照明手段と第２の照明手段と第３の照明手段と第４の照明手段とを含み、第１、第２、第３および／または第４の照明手段がそれぞれ、第１、第２、第３および／または第４の対応する所定の閾値レベルを上回る音および／または周波数、上記閾値レベルを下回る音および／または周波数、または、上記閾値レベルの音および／または周波数が検知されることにより動作するノベルティ装置が提供される。上記第１、第２、第３、第４の照明手段のうちの１つまたは複数は、一緒に動作し、あるいは、互いに個別に動作する。また、第１、第２、第３、第４の照明手段のうちの２つ以上は、順次に動作するように構成されていてもよい。これに加えてあるいはこれに代えて、第１、第２、第３、第４の照明手段のうちの２つ以上は、予めプログラムされたシーケンスで動作してもよい。
【００２３】
第１、第２、第３、第４の照明手段が設けられる場合、装置は、随意的に、第１、第２、第３または第４の所定の閾値レベルのうちの１つまたは複数を調整するための手段を含んでいてもよい。
【００２４】
また、本発明は、照明手段のうちの１つまたは複数の一括動作あるいは個別動作を選択するための手段を有していてもよい。この手段は、例えば、音が第１、第２、第３、第４の照明手段のそれぞれを交互に順に点灯させることを指示してもよい。各照明手段は、プログラムされた態様であるいは予め選択された態様で動作してもよい。例えば、音が検知されると、第１の照明手段が反応してライトガイドを照明し、次の音が検知されると、第２の照明手段が反応してライトガイドを照明し、これにより、各照明手段が順次に動作する。また、２つの照明手段だけが装置内に存在する場合には、照明手段が順々に動作してもよい。
【００２５】
本発明の更なる他の形態は、音が第１の音レベルで検知される時にはライトガイドが第１の強度で照明され、音が第２の音レベルで検知される時にはライトガイドが第２の強度で照明され、上記第２の音レベルが上記第１の音レベルよりも小さい場合には、上記第１の強度が上記第２の強度よりも大きいノベルティ装置に関する。
【００２６】
音が検知されると、照明手段が予め設定されたプログラムにしたがって動作してライトガイドを照明することが好ましい。この場合、ノベルティ装置は、予め設定されたプログラムを調整しあるいは選択するための手段を更に含むことが好ましい。第１、第２、第３、第４の照明手段のうちの任意の１つまたは複数が設けられる場合、これらの照明手段は、同様に、音が検知されると、全体のプログラムの中の予め設定されたそれ自体のプログラムにしたがってまたは全体のプログラムにしたがって動作してライトガイドを照明することができる。
【００２７】
本発明の他の形態においては、装置が連続的に照明され、音特性が検知されると、照明手段がライトガイドの少なくとも一部の照度を下げる。本発明の他の形態においては、装置が照明され、音が検知されると、照明手段がライトガイドの少なくとも一部の照度を下げる。音が検知されると、ライトガイドが薄暗くなりあるいはＯＦＦされる。音がやむと、ライトガイドが照明状態へ戻ってもよい。
【００２８】
ノベルティ装置が個人的な装飾装置であってもよい。この例において、装置は、ブレスレットまたはネックレスとして装着するのに特に適している。
【００２９】
本発明に係るノベルティ装置は、任意の適当な方法で構成されてもよい。音を検知するための検知手段はマイクロフォンを含むことが好ましい。本発明は、検知手段と照明手段との間の相互作用を制御するためのマイクロ処理手段を含むことが好ましい。ノベルティ装置は、随意的には、検知手段と照明手段とを収容するための制御ユニットを含んでいてもよい。本発明の１つの特に好ましい形態においては、制御ユニットがライトガイドの一端部に結合される。制御ユニットは、ライトガイドの各端部に結合されていることが最も好ましい。
【００３０】
本発明の１つの形態においては、ライトガイドの一端に結合手段が取り付けられる。この結合手段は、使用者がライトガイドと制御ユニットとを取り外し可能に結合できるように、制御ユニットと結合されてもよい。また、結合手段は、ライトガイドと制御ユニットとの間の強固な接続を維持するのに役立つ。
【００３１】
ノベルティ装置は、ライトガイドの各端部にそれぞれ設けられる２つの制御ユニットを含んでいてもよい。また、ノベルティ装置は、３つ以上の制御ユニットを含んでいてもよい。１つの好ましい形態においては、ノベルティ装置が２つのライトガイドを含み、ライトガイドの各端部が円形状を成して制御ユニットに結合される。各制御ユニットは、異なる音レベルまたは周波数で音を検知した際に動作してもよい。
【００３２】
本発明の更なる他の形態において、制御ユニットはライトガイドに対して取り外し可能に結合される。制御ユニットは、随意的には、ライトガイドの一端を解放可能に受けるための少なくとも１つのソケットを有していてもよい。ソケットは、ライトガイドの一端を受けるために制御ユニットの両端部に設けられていてもよい。他の形態において、ライトガイドは、制御ユニットに結合できるようにその端部に適当なクリップが取り付けられていてもよい。使用者が思い通りに制御ユニットを接続し、取り外し、再び接続できるように、ノベルティ装置をライトガイドから簡単に取り外せることが好ましい。この汎用性により、使用者は、１つまたは複数の制御ユニットを１つまたは複数のライトガイドと共に使用して成る多くの形態を形成することができる。制御ユニット（照明手段および好ましくは検知手段を収容する）を取り外すことができるため、任意の適当な長さまたは形状のライトガイドに接続できるモジュールユニットを使用者に提供できる。これにより、使用者は、ライトガイドによって互いに接続された多数の制御ユニットを有するそれ自身の装置を作ることができる。また、これにより、使用者は、多種多様な形状の装置を作成することができる。また、これにより、使用者は、制御ユニットを交換して、各ライトガイド内に異なる色の組み合わせを作り出すことができる。
【００３３】
ライトガイドは、柔軟な材料または硬質材料によって形成されていてもよい。しかしながら、ライトガイドを柔軟な材料によって形成することが好ましい。柔軟な材料を使用すると、使用者がライトガイドを曲げて適当な形状にできるという点で特に好ましい。使用者はライトガイドを円形状にしてもよい。また、使用者は、ライトガイドを巧みに扱って８の字状に形成してもよい。８の字状に配置すると、一対の大きなノベルティ眼鏡やマスクと同様の態様で装置を耳の周囲に装着することができる。
【００３４】
本発明の他の形態においては、音を検知するとノベルティ装置が動作する。この場合、照明手段は、予め設定されたプログラムにしたがって動作してライトガイドを照明する。装置は、予め設定されたプログラムを調整しまたは選択するための手段を含んでいてもよい。
【００３５】
本発明のノベルティ装置は、他の装置の一部を形成してもよい。例えば、本発明のノベルティ装置は、ポータブルラジオまたは他の音出力装置内に組み込まれてもよい。
【００３６】
本発明の第２の態様においては、光を導くライトガイドであって、その全長の少なくとも一部に沿って光の一部を発することができるライトガイドと、ライトガイドに結合されるとともに、照明するための照明手段を含み、照明手段が所定のプログラムにしたがって光をライトガイド内に方向付ける制御ユニットとを含む個人的装飾装置が提供される。
【００３７】
制御ユニットは、使用者が制御ユニットに対してライトガイドを着脱できるように、ライトガイドに対して取り外し可能に結合されていることが好ましい。
【００３８】
個人的装飾装置は、音を検知するための手段を更に含み、結合状態で且つ音が検知された際に、照明手段が動作されて光がライトガイド内に方向付けられてもよい。
【００３９】
ライトガイドは随意的には柔軟なストリップ部材であってもよい。本発明の他の代替的なあるいは付加的な形態において、ライトガイドは円形状または８の字形状に配置される。ライトガイドの各端部は制御ユニットに結合されていることが好ましい。
【００４０】
本発明の第３の態様においては、少なくとも１つの制御ユニットを含むノベルティ装置であって、制御ユニットが、
上記制御ユニットを１つまたは複数のライトガイドに対して取り外し可能に結合するための結合手段と、
上記制御ユニットと上記ライトガイドとが結合状態にある時にライトガイドを照明するための照明手段であって、光を上記ライトガイド内に方向付けるように動作することにより、光が上記ライトガイドを通じて方向付けられ上記ライトガイドの全長の少なくとも一部に沿って放射される照明手段と、
を含むノベルティ装置が提供される。
【００４１】
制御ユニットは、ライトガイドの一端を解放可能に受けるように構成されていることが好ましい。好ましい形態において、制御ユニットは、ライトガイドを円形状に配置するべくライトガイドの両端を解放可能に受けるように構成されている。
【００４２】
制御ユニットは、照明手段に対して電気的に接続されて音を検知する検知手段を含み、照明手段は、音の検知に基づいてライトガイドの少なくとも一部を照明するように動作してもよい。
【００４３】
本発明の第４の態様においては、
一組の照明ユニットと、
１つまたは複数のライトガイドと、
を含み、
各照明ユニットが、ライトガイドの一端を解放可能に受けるための１つまたは複数のソケットを含むノベルティ装置が提供される。
【００４４】
本発明の他の特有の利点は、複数の制御ユニット（それぞれが照明手段を組み込んでいる）の相互作用によって形成される娯楽的な価値である。これらの制御ユニットは、単独で動作しまたは協働するように互いに結合することができる。制御ユニットのモジュール性により、数多くのライトガイドおよび制御ユニットを組み合わせて１つの装置を形成することができる。
【００４５】
本発明の第５の態様においては、
光を導くライトガイドであって、その全長の少なくとも一部に沿って光の一部を発することができるライトガイドと、
ライトガイドを照明するための照明手段と、
を含み、照明手段は、
第１の波長の光を上記ライトガイドを通じて方向付けるための第１の照明手段と、
第２の波長の光を上記ライトガイドを通じて方向付けるための第２の照明手段と、
を含み、
第１および第２の波長が異なる波長であるノベルティ装置が提供される。
【００４６】
装置が音を検知するための検知手段を更に含み、音の検知に基づいて第１の照明手段および／または第２の照明手段が動作することが好ましい。
【００４７】
随意的には、第１および第２の照明手段のうちの一方が音の検知に基づいて動作し、第１および第２の照明手段のうちの他方が所定のプログラムに基づいて動作してもよい。
【００４８】
本発明の１つの形態においては、第１の音特性を検知すると第１の照明手段が応答し、第２の音特性を検知すると第２の照明手段が応答する。
【００４９】
第５の態様において、本発明は、
１つまたは複数のストリップ部材と、
１つまたは複数の制御ユニットと、
を含み、各制御ユニットは、
ストリップ部材を照明するための照明手段と、
制御ユニットをモジュール形態で上記１つまたは複数のストリップ部材に対して取り外し可能に結合するための結合手段と、
を含みポータブルノベルティ装置に関する。
【００５０】
ストリップ部材は、光を導くことができ且つその全長の少なくとも一部に沿って光の一部を発することができるライトガイドであることが好ましい。
【００５１】
本発明の１つの形態において、２つの制御ユニット同士は、使用者の身体の一部の周りに装着するのに適した円形状または８の字形状を成すストリップ部材により接続されている。
【００５２】
本発明の第６の態様においては、
柔軟なライトガイドと、
ライトガイドを照明するための照明手段と、
を有し、
照明手段は、所定のプログラムによって動作されると、上記ライトガイドの少なくとも一部を照明して輝いた外観を与えるように機能する照明ポータブルノベルティ装置が提供される。
【００５３】
本発明の第７の態様においては、音出力電子装置であって、
光を導くライトガイドであって、その全長の少なくとも一部に沿って光の一部を発することができるライトガイドと
音出力電子装置から発せられる音に応じてライトガイドを照明するための照明手段と、
を有し、
照明手段は、音出力電子装置による音の検知に基づいて上記ライトガイドの少なくとも一部を照明するように動作する音出力電子装置が提供される。
【００５４】
上記ライトガイドは光ファイバであることが好ましい。
【００５５】
本発明の全ての態様が、本発明の第１の態様で説明した随意的な特徴を有していてもよいことは言うまでもない。また、本発明のノベルティ装置が所定の周波数、周波数範囲、所定の音量レベル、または、音量レベル範囲に対して応答してもよいことは言うまでもない。
【００５６】
なお、本発明の多くの実施形態はポータブルであるが、ノベルティ装置が、必ずしもポータブルである必要はなく、当該ノベルティ装置が任意の適当な構造体または他の装置に固定されていてもよい。
【００５７】
以下、本発明の実施例を示す添付図面を参照しながら本発明を詳細に説明する。図面の特殊性が本発明の先の説明の一般的な考え方に取って代わらないことは言うまでもない。
【図面に沿っての詳細な説明】
【００５８】
本発明の１つの特定の実施形態が図１および図２に示されている。図示の装置はブレスレットまたはネックレスとして使用されてもよい。装置１は、制御ユニット２と、バンド４の形態を成すライトガイドとを含む。制御ユニット２およびバンド４は両方とも、装置を使用者の腕や首の周りに簡単に装着できるように携帯可能で且つ軽量であることが好ましい。使用者は、制御ユニット２によって装置の動作を制御することができる。図１および図２に示される制御ユニットはバッテリで動作するが、本発明の様々な実施形態がコンセント電源等の他の形式の電力を用いて動作することは言うまでもない。制御ユニット２は、音を検知するための手段と、バンドを照明するための１つまたは複数の照明手段とを含む。制御ユニット２は、その両端にテーパ状端部３が設けられた中央シリンダ５の内部に収容されている。図２に示されるように、シリンダ５には、ハウジング内に音を取り込むことができる開口６が設けられている。この場合、ハウジングは、音を検知するための手段を格納している。中央シリンダ５はスイッチ８を収容するための開口を有しており、スイッチ８と制御ユニットとが相互に作用し合うことにより、使用者は装置の動作を制御することができる。テーパ状端部３は、バンド４の端部を受けるように形成されている。装置には、使用者が装置の動作を調節できる調節ダイヤル７が設けられていてもよい。この調節ダイヤル７は、例えば、音を検知するための手段の動作感度を変更するために使用することができる。
【００５９】
本発明の一実施形態にしたがって構成される装置の様々な構成要素が分解状態および内部が見える状態で図３および図４にそれぞれ示されている。中央シリンダ５およびテーパ状端部３は回路基板１１を収容している。
【００６０】
特定の構成要素が本発明によって規定されるように協働するべく回路基板を本発明と共に使用できることは言うまでもない。構成要素が取り付けられた適当な回路基板が図５〜図８に示されている。回路基板１１には、バッテリクリップ接点１７を介してバッテリ１２が接続される。基板の各端部には、２つのＬＥＤ１０と、マイクロプロセッサ１３と、マイクロフォン１４と、調節ダイヤル７とが配置されている。また、装置は、ポテンショメータ１５と、コンデンサ１６と、スイッチ８と、複数のレジスタおよびｊ−フェット（ｊ−ｆｅｔｔｓ）と共に機能する。
【００６１】
本発明の１つの特定の形態において、回路基板は、以下の構成要素が接続されたＰＣＢ基板である。
i.マイクロフォン；
ii.少なくとも１つのＬＥＤ。２つまたは４つ以上であることが好ましい；
iii.少なくとも１つのマイクロプロセッサ；
iv.少なくとも１つのコンデンサ；
v.少なくとも１つのレジスタ；
vi.少なくとも１つのｊ−フェット（または小型増幅器）；
vii.バッテリクリップ接点；
viii.バッテリ；
ix.スイッチ；
x.ポテンショメータ。
【００６２】
この実施形態で示される音を検知するための手段はマイクロフォン１４からなる。照明手段は２つの発光ダイオード（ＬＥＤ）１０からなるが、本発明が１つのＬＥＤまたは３つ以上のＬＥＤと共に機能してもよいことは言うまでもない。マイクロプロセッサ１３は、マイクロフォン１４および各ＬＥＤ１０の両方に対して電気的に接続されている。所定の閾値レベルを超える音を検知すると、マイクロプロセッサ１３は、バンド４を照明するべくＬＥＤ１０を動作させる。このような照明は、バンドの一端にＬＥＤを当接させまたは近接させて配置することにより行なわれ、ＬＥＤが光を照射するべく動作する場合には、バンドを通じて光が案内されることにより、バンドの全長の少なくとも一部に沿って照明が成される。
【００６３】
装置は、使用者の首や腕等の末端部の周囲に装着するのに特に適している。音検知手段によって音が検知されると、照明手段が動作してバンドを照明する。本発明によって提供される装置には、装着者に効果的な制御を与えることにより装着者が動作を指示でき且つ装着者の周囲の様々な音と装置との相互作用を決定付けることができるように多数の制御装置が設けられていてもよい。
【００６４】
一実施形態において、スイッチ８は装置をＯＮ／ＯＦＦするように動作することができる。他の実施形態において、スイッチ８はモード選択ボタンとしての機能を果たす。このモード選択ボタンを１回押すと、制御ユニットがＯＮして第１のモードで動作し始める。モード選択ボタンが再び押されると、装置が他のモードで動作する。その後、装置は、モード選択ボタンが押される度に次のモードへとスクロールし、全てのモードにわたってスクロールすると、その時点で第１のモードに戻る。また、装置は、使用者がモード選択ボタンを予め設定された時間だけ押さえつけると制御ユニットがＯＦＦされるようにプログラムされてもよい。
【００６５】
装置には調節ダイヤル７が随意的に設けられていてもよい。これにより、使用者は、装置が高レベルの音と低レベルの音とを区別するように装置を調整することができる。また、これにより、装着者は、所望の効果が得られるまで装置を任意の音量レベルまたは音量ピッチに調節することができる。所定のレベルまたは所定の周波数を超える音が検知されると、装置が照明される。装着者がロンクコンサート等の騒々しい環境の中に置かれると、高音量のノイズによって、音を検知するための手段が飽和状態に達し、バンドの照度が一定になる。これは、調節ダイヤルを操作して音検知手段の感度を調整することによって回避できる。これにより、マイクロプロセッサへ向かうデータの流れが減少し、装置を所望のごとく正確に照明することができる。調節ダイヤル（または調節制御装置）を使用して、ノイズにもかかわらず装置を様々な音に合わせられるようにすることにより、装置を音楽や装着者の周囲の他の音に対して正確に応答させることができる。また、調節ダイヤルが制御ユニットを制御しまたは調節するための任意の適当な手段であってもよいことは言うまでもない。調節ダイヤルは、例えば、マイクロ処理手段に対して電気的に接続された２つのボタンから成っていてもよい。調節ダイヤルを使用して、所定の音閾値を調整してもよい。例えば、音閾値を比較的低くしてささやき声でさえ検知できるように装置を調整することができ、または、音閾値を比較的高く設定して叫び声や大きな声だけを検知することもできる。また、調節ダイヤルを調整して、様々な音量（または周波数）のノイズを識別できるようにすることにより、低いあるいは高い音量（または周波数）のノイズだけが検知されてバンドが照明されてもよい。これに加え、あるいは、これに代えて、所定の音量範囲および／または周波数範囲内のノイズだけを識別するように調節ダイヤルが設定されてもよい。
【００６６】
１つの特に好ましい実施形態においては、装置が少なくとも２つのＬＥＤ１０を含んでおり、これらのＬＥＤ１０が一緒に動作しても良くあるいは単独で動作してもよい。ＬＥＤが単独で動作する場合には、多数の組み合わせを採用できる。例えば、一方のＬＥＤは、低音量の音を検知した際に動作して照明し、他方のＬＥＤは、高音量の音を検知した際に動作してもよい。装置は多数の異なるモードで動作してもよい。例えば、装置は、２つのＬＥＤが設けられている場合、以下のモードのうちの任意の１つまたは複数のモードで動作してもよい。
（１）第１のＬＥＤが低く且つ第２のＬＥＤが高い。低い音量または高いピッチ（高音）で音が検知されると、第１のＬＥＤが動作し、一方、高い音量または低いピッチ（低音）で音が検知されると、第２のＬＥＤが動作する。
（２）第１のＬＥＤが高く且つ第２のＬＥＤが低い。高い音量または低いピッチ（低音）で音が検知されると、第１のＬＥＤが動作し、一方、低い音量または高いピッチ（高音）で音が検知されると、第２のＬＥＤが動作する。
（３）第１のＬＥＤが高く且つ第２のＬＥＤが高い。高い音量または低いピッチ（低音）で音が検知されると、第１および第２のＬＥＤの両方が動作する。しかしながら、ＬＥＤが異なる（音量または周波数）レベルで動作するように、マイクロ処理手段を介して各ＬＥＤを調整することができる。
（４）第１のＬＥＤが低く且つ第２のＬＥＤが低くまたは高ピッチ（高音）。低い音量で音が検知されると、第１および第２のＬＥＤの両方が動作する。ＬＥＤが異なる（音量または周波数）レベルで動作するように、各ＬＥＤが調整されてもよい。
（５）低音量または高音量に反応する音感モードで第１のＬＥＤが動作し、第２のＬＥＤは、単独でＯＮ動作し、または、予めプログラムされたループで動作し、あるいは、閃光モードで動作するように予め設定されている。
（６）第１のＬＥＤが低音量／高ピッチ高音において音感モードで動作し、第２のＬＥＤがＯＦＦされる。
（７）第２のＬＥＤが低音量／高ピッチ高音において音感モードで動作し、第１のＬＥＤがＯＦＦされる。
（８）第１のＬＥＤが高音量／低ピッチ低音において音感モードで動作し、第２のＬＥＤがＯＦＦされる。
（９）第２のＬＥＤが高音量／低ピッチ低音において音感モードで動作し、第１のＬＥＤがＯＦＦされる。
（１０）シーケンスモード。最初の音が検知されると、第１のＬＥＤが閃光した後にＯＦＦされる。次の音が検知されると、第２のＬＥＤが閃光する。更に他の音が検知されると、第１および第２のＬＥＤの両方が一緒に閃光する。その後、プログラムが繰り返される。
【００６７】
また、本発明の装置は、必ずしも装置の周囲の音を検知するとは限らない多数のモードにわたって循環してもよい。例えば、
（１１）第１および第２のＬＥＤはそれぞれ、第１および第２のＬＥＤの両方がストロボとしてＯＮ／ＯＦＦ動作する「高速」ストロボモード。この場合、「高速」とは、ＬＥＤが高い周波数でＯＮ／ＯＦＦすることを意味している。
（１２）第１のＬＥＤが高速ストロボモード。第２のＬＥＤがＯＦＦされる。
（１３）第２のＬＥＤが高速ストロボモード。第１のＬＥＤがＯＦＦされる。
（１４）バンドの周囲にわたって光が移動するような外観を与えるようにＬＥＤがバンドを照明する「コップサイレンスループ」モード。
（１５）第１のＬＥＤがＯＮすると第２のＬＥＤがＯＦＦする（その逆も同様）ようにＬＥＤがストロボ発光（明滅）する「オフビート」高速ストロボ。
（１６）両方のＬＥＤがフェードイン・フェードアウト（同期して）ループ。両方のＬＥＤが同期してフェードインおよびフェードアウトする。
（１７）第１のＬＥＤがフェードインで且つ第２のＬＥＤがフェードアウト。各ＬＥＤが順にフェードインおよびフェードアウトする。一方のＬＥＤがフェードインしている間、他方のＬＥＤがフェードアウトする。
（１８）第１のＬＥＤがフェードインおよびフェードアウトし、第２のＬＥＤが１つのループ内でフェードインおよびフェードアウトする。
（１９）第１のＬＥＤがフェードインおよびフェードアウトし、第２のＬＥＤがＯＦＦする。
（２０）第２のＬＥＤがフェードインおよびフェードアウトし、第１のＬＥＤがＯＦＦする。
（２１）オフビートフラッシュ（スロー）、各ＬＥＤが低周波で閃光する。
（２２）第１のＬＥＤがＯＮし、第２のＬＥＤがミッドストロボ。第２のＬＥＤが中程度の繰り返し周波数で動作する。
（２３）第１のＬＥＤがＯＮし、第２のＬＥＤが高い周波数で閃光する。
（２４）第２のＬＥＤがＯＮし、第１のＬＥＤが中間の周波数（中波）で閃光する。
（２５）第１および第２のＬＥＤの両方が中間の周波数（中波）で同期して閃光する。
（２７）オフビートミッドストロボ。
（２８）第１および第２のＬＥＤの両方がＯＮ。
（２９）第２のＬＥＤがＯＮで且つ第１のＬＥＤがＯＦＦ。
（３０）第１のＬＥＤがＯＮで且つ第２のＬＥＤがＯＦＦ。
（３１）第１および第２のＬＥＤの両方が低い周波数で同期して閃光する。
（３２）最初に閃光してから高速ストロボループ。
（３３）最初にフェードイン・フェードアウトしてから高速ストロボループ。
【００６８】
上記モードは、２つのＬＥＤを使用することにより音感モードおよびプリセットモード並びにこれらの組み合わせを含む本発明の装置と共に多数の様々なモードを使用できることを示している。３つまたは４つ以上のＬＥＤが装置と共に使用される場合には、組み合わせの数が更に増やされる。
【００６９】
ＬＥＤが異なる色の光を発する場合には、装置から照明される光および色は特に人目を引く。２つのＬＥＤが使用される場合には、各ＬＥＤが異なる色であってもよい。これにより、２つの色を混合または融合させて第３の色を表示させることができる。例えば、赤色と青色とを組み合わせて紫色を形成することができ、赤色と白色とを組み合わせてピンク色を形成することができ、一方、緑色と青色とを組み合わせて水色を形成することができる。第１および第２のＬＥＤが前述したモードに設定される場合には、光と色とを多彩に組み合わせることができる。
【００７０】
例えば、前述したモード（１）において、第１のＬＥＤが赤色で且つ第２のＬＥＤが青色である場合、低音量の音により装置が赤色で照明され、高音量の音により装置が青色で照明され、高音量の音と低音量の音とが組み合わされることにより装置の少なくとも一部が紫色で照明される。また、ＬＥＤの強度が色合を変化させてもよい。例えば、第１のＬＥＤが第２のＬＥＤよりも大きな強度で動作している場合には、紫色の赤色成分が多くなる。各ＬＥＤの強度に応じて、色がバンドに沿って移行してもよい。例えば、第１のＬＥＤの近傍では青色を成し、第２のＬＥＤに向かって紫色へと変化し、第２のＬＥＤの近傍では青色を呈する。考えられる順列および組み合わせの数は多い。色を適当に任意に組み合わせて使用してもよい。が、本発明者は、以下のような多数の組み合わせを使用できると考えている。以下には、２つのＬＥＤを使用した場合における色の組み合わせが挙げられている。
（ａ）赤−青−紫
（ｂ）赤−白−ピンク
（ｃ）赤−黄−オレンジ
（ｄ）赤−緑−薄オレンジ
（ｅ）青−白−淡青
（ｆ）青−緑−水色
（ｇ）青−黄−薄緑
（ｈ）黄−白−淡黄
（ｉ）緑−黄−鮮黄色
（ｊ）緑−白−薄緑
【００７１】
前述したように、本発明の使用者は、様々な音に対して数多くの反応を伴う様々な態様で装置が機能するように装置を調整することができる。２つ以上の装置が互いに接続される場合には、この効果を更に高めることができる。２つの制御ユニットを組み込んだ装置の例が図９に示されている。この装置は、２つの装置を結合することにより形成することができる。ライトガイド４が各制御ユニット２同士を結合している。第１の制御ユニットの各ＬＥＤは点４Ａ，４Ｄでバンドを照明し、一方、第２の制御ユニットは点４Ｃ，４Ｂでバンドを照明する。ＬＥＤが点灯するとライトガイドにわたって色が広がる。例えば、点４Ｃと点４Ｄとの間にあるライトガイド内では、各ＬＥＤからの色が組み合わされる。本発明者は、２つの結合された装置によって形成される色の混合および組み合わせが、特に光が弱い状態で、人の目を非常に引くことに気が付いた。例えば、一方の制御ユニット２は、予め設定されたプログラムにしたがって閃光するプリセットモードで動作しても良く、一方、他方の制御ユニットは、予め調節された閾値で音が検知される場合にだけ照明する音感モードで動作する。２つ以上の制御ユニットによって形成される色の混合および組み合わせは、使用者および使用者の周りの人々に興味深い光のショーを提供する。
【００７２】
２つの装置が結合される場合には、異なる組み合わせで装置を再び結合することにより、装置の双方向性のバリエーションを得ることができる。これは、装置の一方を１８０°反転させて再結合することにより行なうことができる。例えば、図９を参照すると、点４Ａにおける接続部と点４Ｄにおける接続部とが交換されるように一方の制御ユニット２を取り外して再び結合することができる。
【００７３】
また、使用者が２つ以上の制御ユニットを利用できる場合には、複数の装置を様々な形態（基本的な円以外の形態）で結合できることにより、更なる汎用性および娯楽性が得られる。例えば、２つの制御ユニットが互いに結合される場合には、８の字の形態を形成するようにライトガイドを交差させることができる。この形態を図９を参照して説明すると、８の字の装置を形成する（図示せず）場合には、第１のライトガイド４を４Ａから４Ｃへと延ばすとともに、第２のライトガイドを４Ｄから４Ｂへと延ばして、各ライトガイド４が８の字形状を形成する他方のライトガイドの上側または下側で交差させる。更に多い数の制御ユニットを互いに結合することによって更に興味深い組み合わせが得られてもよい。例えば、４つの制御ユニットを組み合わせて大きな円形状を形成することができる。
【００７４】
本発明は多種多様な用途を有する。装着者の首の周りに配置すると、装着者の声に追従し、装着者が音を発した際に光を発する。これは、暗闇の中で友達と「夜のおしゃべり」をする場合に理想的となり得る。装着者の手首の周りに２つ取り付けると、ＳＴＡＲ  ＴＲＥＫ（商標）またはＳＴＡＲ  ＷＡＲＳ（商標）ゲームをする際に宇宙時代の通信装置のように見える。２つの制御ユニットを使用して８の字形状にすると、使用者の耳の裏側に装置を引掛けて、使用者の顔を覆うマスクの形状を成すことができる。装着者の足首の周りに２つ取り付けると、使用者が歩く際の音を感知するように装置を調節することができ、それにより、輝く光をもって装着者が歩く足取りを辿ることができる。ベッドカバーの下側で使用すると、面白い夜光を演出できる。使用者が手で握って空気中で振り回すと、ストロボ機能により光トレース効果が得られる。装置を空気中に投げてストロボを見られたい。音に対して感度が良い装置の機能をビデオゲームや音を発する玩具に合わせて調節することができ、装置がゲームや玩具と相互に作用することにより、玩具それ自体を引き立たせることができるとともに、ライトガイド４を役立たせることができる。
【００７５】
制御ユニット２によってライトガイドに結合することができ且つライトガイド４から取り外すことができる。これにより、他の玩具や物に取り付けられるように装置を巧みに扱うことができ、そのため、その相互作用および汎用性を高めることができる。また、装置の各ＬＥＤの感度を調整することにより、装置をステレオシステムやカラオケ機に合わせて調節することができる。正確に調整すると、装置を使用して拍子からボーカルを明確にすることができ、あるいは、ボーカルだけを明確にすることができ、または、音楽の拍子だけをそれぞれ明確にすることができる。カラオケまたはステレオシステムと組み合わせて使用する場合には、装置を機械それ自体に関して使用することができあるいは機械の一部として使用することができ、または、機械の近傍で使用者が装着しあるいは保持することができる。装置をコンサート、イベントまたはダンスパーティーに持っていって、音に反応するように装着または保持し、華やかな光のショーを演出してもよい。
【００７６】
本発明者は、本発明の装置が広範囲の人々の心を引くだろうと考えている。０〜１４歳の子供の玩具として販売すれば、インタラクティブな光音玩具として装置を使用することができる。子供は技術的に益々進歩してきており、本発明を具現化する装置をもってすれば、子供は装置と直接にふれあい、インタラクティブで且つ知的な玩具を提供して、子供たちを面白がらせることができる。また、子供の他の玩具によって発せられる音と相互作用するように装置を使用することができる。これにより、これらの玩具を引き立たせる手段が効果的に形成される。
【００７７】
装置は、視聴覚インタラクティブ玩具を提供するため、結果としてリアルタイムな画像出力を生じるリアルタイムな音声入力を与える。子供が使用するには面白く、子供が音と光との相互作用を試みる無限のバリエーションを与えることができる。調節ダイヤル／制御装置を子供の制御下に置くことにより、子供は、装置の感度を調整して望み通りに動作させることができ、装置と周囲の音との相互作用を観察することができる。装置がどのように動くのだろうか？、装置を使って他に何をすることができるのだろうか？といったように、装置により子供は効果的に考えさせられる。これにより、光と音との相互作用に関して子供に教える教育的な価値が得られるだけでなく、色を組み合わせて新たな色を作ることを小さな子供に教えるために装置を使用することができる。装置は、異なる目的のために全ての年齢の子供たちによって使用することができるとともに、子供と共に成長するべく使用できる玩具を形成する。また、装置は少年および少女の両方に適用でき、少年および少女はそれぞれ自分たちの気に入った色を選択するだけである。
【００７８】
無論、本発明の装置は、世代を超えて人の心を引き付ける。１０代および成人に対して販売すれば、装置はノベルティとして大きな可能性を有する。無論、全ての年代の多くの人々は、装置を単にノベルティとして非常に魅力的であると考えるだろう。このノベルティ要素は、子供市場およびアダルト「キッズ」の市場の両方で実現可能である。音楽のコンサート、フェスティバル、ショー、カーニバル、増え続けて繁盛している「ダンスシーン」等のイベントで装置を使用して販売することができる。これらのイベントに参加する人々は、多くの場合、自分たちの身だしなみに多くの時間と金を費やして、時には人目を引くアクセサリを身に着けてコーディネートする。これらの人々は、以前は、インタラクティブな価値または娯楽的な価値が殆ど無いあるいは全く無い静止したまたは受動的な玩具に制限されていた。本発明の装置は、使用者および使用者の周囲の両方と相互に作用して使用者およびその周囲の両方に関して光のショーを演出する能動的な玩具である。
【００７９】
一実施形態において、装置は、光ガイド特性を有する光ケーブルを使用する。ライトガイドは、その全長にわたって光を案内するが、その一方で、光を逃がすことによりバンドの周囲に鮮やかな（輝いている）効果を形成することができる。光ファイバ型のケーブルを使用する１つの利点は、それを簡単にカットしあるいは切り取って装置を特別に適合させることができるという点である。他の利点は、光ファイバが柔軟であり多種多様な形状および形態を得ることができるという点である。本発明の更なる利点は、使用者が２つ以上の制御ユニットを使用することにより多数のバンド同士を結合して大きなバンドを形成し、形態を変化させることができるという点である。
【００８０】
本発明が単独であるいは一緒に動作する多くの異なる照明手段を使用できることは言うまでもない。好ましい一実施形態において、照明手段は、両端部に設けられた２つのＬＥＤから成り、第１および第２の照明手段のそれぞれが１つのＬＥＤからなる。２つのＬＥＤが並んで設けられる場合、更なる色の組み合わせが可能になる。これは、ＬＥＤを隣接した結果として起こるものであり、ＬＥＤのそれぞれを同時に点灯させることにより色が混合して更なる色の組み合わせが得られるものである。
【００８１】
他の更なる実施形態において、本発明の装置は、一時に最大で４つの異なる色を組み合わせるべく４つのＬＥＤを有しており、色を混合することにより様々な色の組み合わせを作り出すことができる。また、各装置は、多数の異なる結合形態を成すことができる１つまたは複数のライトガイドを含んでいてもよい。２つの制御ユニットが共に配置される場合、各制御ユニットは４つの異なる色のＬＥＤを有し、８個の異なる色の光を得ることができる。ＬＥＤが同時に動作して光を混合させれば、更に多くの数の色の組み合わせを得ることができる。本発明の装置は、各ＬＥＤが異なる所定の音閾値で個別にまたは同時に単独で動作するように構成することができる。この場合、各音閾値を個別にまたは全体として調整することができる。例えば、全てのＬＥＤが同じ音閾値で点灯するように使用者が装置を調整しても良く、あるいは、１つまたは複数のＬＥＤのそれぞれが異なる音閾値で動作してもよい。複数のＬＥＤが設けられる場合には、少ないＬＥＤで効率的に動作する装置を効果的に形成するために、これらのＬＥＤのうちの１つまたは複数のＬＥＤがＯＦＦにされてもよい。多数の順列および組み合わせが可能である。更なる他の一実施形態において、装置またはブレスレットは、装置全体が所定の閾値（調節ダイヤル等により調整可能）で音を検知してユニットがＬＥＤを交互に点灯させるように設定されていてもよい。これは、例えば、各ＬＥＤが所定のシーケンスで動作するように行なうことができる。例えば第１、第２、第３、第４のＬＥＤが存在する場合を考える。最初の音によって第１のＬＥＤが動作し、次の音によって第２のＬＥＤが動作し、以下、第４のＬＥＤが動作するまで同様である。その後、プログラムにより第１のＬＥＤが再び動作する。第１、第２、第３、第４のＬＥＤがそれぞれ赤、青、緑、黄であった場合には、手を叩く度に装置が異なる色の光を放ち、赤色、青色、緑色、黄色にわたって色がスクロールして、再び赤色に戻る。
【００８２】
２つのＬＥＤを用いる場合には、以下に挙げられるような組み合わせが可能である。
（１）Ｌ１；
（２）Ｌ２；
（３）Ｌ１＋Ｌ２（Ｌ１およびＬ２の両方の組み合わせを形成する）
【００８３】
４つのＬＥＤ（Ｌ１、Ｌ２、Ｌ３およびＬ４）を用いると、組み合わせの数を更に増やすことができる。
（１）Ｌ１；（Ｌ２，Ｌ３，Ｌ４がＯＦＦ）
（２）Ｌ２；（Ｌ３，Ｌ１，Ｌ４がＯＦＦ）
（３）Ｌ３；（Ｌ１，Ｌ２，Ｌ４がＯＦＦ）
（４）Ｌ４；（Ｌ１，Ｌ２，Ｌ３がＯＦＦ）
（５）Ｌ１＋Ｌ２；（Ｌ３およびＬ４がＯＦＦ）
（６）Ｌ３＋Ｌ４；（Ｌ１およびＬ２がＯＦＦ）
（７）Ｌ２＋Ｌ４；（Ｌ１およびＬ３がＯＦＦ）
（８）Ｌ４＋Ｌ１；（Ｌ２およびＬ３がＯＦＦ）
（９）Ｌ３＋Ｌ２；（Ｌ１およびＬ４がＯＦＦ）
（１０）Ｌ３＋Ｌ１；（Ｌ２およびＬ４がＯＦＦ）
（１１）Ｌ１＋Ｌ２＋Ｌ３；（Ｌ４がＯＦＦ）
（１２）Ｌ２＋Ｌ３＋Ｌ４；（Ｌ１がＯＦＦ）
（１３）Ｌ３＋Ｌ４＋Ｌ１；（Ｌ２がＯＦＦ）
（１４）Ｌ４＋Ｌ１＋Ｌ２；（Ｌ３がＯＦＦ）
（１５）Ｌ１＋Ｌ２＋Ｌ３＋Ｌ４（全てがＯＮ）
【００８４】
これらが同時にまたは単独で点灯する場合、最大で１５個の色の組み合わせが存在する。装置は、例えば、多くの上記組み合わせにわたってスクロールするようにプログラムされてもよい。例えば、
（４）→（１１）→（６）→（１５）→（１）→繰り返し
あるいは、
（１）→（１）→（２）→（２）→（１）→（２）→（２）→繰り返し
【００８５】
本発明において４つのＬＥＤが使用される場合には、これらを２つのＬＥＤからなる２つのセットにグループ化し、各セットをライトガイドに近接させまたは当接させた状態で配置することが考えられる。
【００８６】
ライトガイドは任意の適当な厚さを有していてもよい。一実施形態（２つのＬＥＤを有する実施形態）において、本発明者はバンドの直径を約５ｍｍと考えている。他の実施形態（４つのＬＥＤを有する実施形態）において、本発明者はバンドの直径を２倍にして約１０ｍｍにしようと考えている。更なる他の実施形態においては、４つのＬＥＤを有する装置において２つのライトガイドが使用されてもよい。
【００８７】
本発明は、任意の適当な電源を用いて動作してもよい。本発明者によって製作された試作品においては、バッテリ電源が特に適していることが分かった。例えば、３つの標準的なＬＲ４４ １．５Ｖアルカリボタン電池は、全体で４．５Ｖととなり、装置を給電することができる。この電池を使用して、本発明者は、最大で３０時間連続して使用できるバッテリ寿命を得ることができた。これらの電池は、安価であり、広範囲の場所で入手できる。
【００８８】
４つのＬＥＤを使用する場合には、更に電力が必要となるかもしれない。本発明の装置は任意の適当な方法で給電することができる。
【００８９】
本発明の装置は、取り外して再び接続することができるため、特に多目的に使用することができる。これにより、２つ以上の別個のユニットを結合することができ、その結果、様々な色に関して多くのバリエーションおよび可能性を得ることができるとともに、相互作用するようにプログラムすることができ、多くの様々なモジュール結合形態が可能となる。
【００９０】
また、本発明の装置は、１つの構造体等に対して永久的に取り付けられてもよい。が、軽量で持ち運びが容易なポータブル装置として特に魅力を有することは言うまでもない。
【００９１】
また、本発明は、本発明のノベルティ装置が取り付けられる多種多様な装置を包含することは言うまでもない。例えば、ポータブルラジオ、ＭＰ３プレーヤ、コンパクトディスクプレーヤ等の電子装置に本発明の装置を組み込んで、光表示により使用者を楽しませてもよい。音に対する感度が良い本発明の特徴をうまく利用することにより音と光との相互作用が行なえるように、電子装置は音を発する電子装置であることが特に好ましい。
【００９２】
２つ以上の装置同士が結合され且つこれらの装置が予めプログラムされたモードで動作する場合には、装置間の相互作用を生じさせることができる。例えば、各装置がプリセットループを生成する場合（ループが同じ速度で実行されるかまたは異なる速度で実行されるかにかかわらず）には、各装置からのループは、混合されて組み合わされることにより、それ自体の１つのループを形成する。
【００９３】
本発明の範囲から逸脱することなく、前述した部分に対して様々な変更、追加、および／または改良を行なうことができることは言うまでもない。
【図面の簡単な説明】
【００９４】
【図１】本発明にしたがって構成された装置の前側から見た斜視図を示している。
【図２】本発明にしたがって構成された装置の後側から見た斜視図を示している。
【図３】本発明にしたがって構成されたノベルティ装置の内部部品を示す分解図を示している。
【図４】本発明の一実施形態にしたがって構成された装置の内部が見えるように描いた図を示している。
【図５】回路基板および回路基板上に装着された構成部品の図を示している。
【図６】回路基板および回路基板上に装着された構成部品の図を示している。
【図７】回路基板および回路基板上に装着された構成部品の図を示している。
【図８】回路基板および回路基板上に装着された構成部品の図を示している。
【図９】本発明にしたがって構成された装置であって、制御ユニットを組み込んだ装置を示している。
【図１】
2005534382.tif 000003
【図２】
2005534382.tif 000004
【図３】
2005534382.tif 000005
【図４】
2005534382.tif 000006
【図５】
2005534382.tif 000007
【図６】
2005534382.tif 000008
【図７】
2005534382.tif 000009
【図８】
2005534382.tif 000010
【図９】
2005534382.tif 000011
【手続補正書】
【提出日】平成17年4月5日(2005.4.5)
【手続補正１】
【補正対象書類名】特許請求の範囲
【補正対象項目名】全文
【補正方法】変更
【補正の内容】
【特許請求の範囲】
【請求項１】
（ａ）光を導くライトガイドであって、その全長の少なくとも一部に沿って光の一部を発することができるライトガイドと、
（ｂ）音を検知するための検知手段と、
（ｃ）前記ライトガイドを照明するための照明手段と、
を含み、
前記照明手段が、前記検知手段による音の検知に基づいて、前記ライドガイドの少なくとも一部を照明するように動作する、ノベルティ装置。
【請求項２】
前記ライトガイドが側面から発光する、請求項１に記載のノベルティ装置。
【請求項３】
前記照明手段が、所定の音量レベル、周波数閾値を上回るまたは下回る音、あるいは所定の範囲内の音が検知されると、前記ライトガイドを照明するように動作する、請求項１または２に記載のノベルティ装置。
【請求項４】
音量レベル、周波数閾値、または、所定の範囲を調整するための手段を更に含む、請求項３に記載のノベルティ装置。
【請求項５】
前記照明手段が、検知された音の音量レベルまたは周波数に応じた強度で前記ライトガイドを照明する、請求項１または２に記載のノベルティ装置。
【請求項６】
所定の音量レベル、周波数閾値、または、所定の範囲における照度を調整するための手段を更に含む、請求項５に記載のノベルティ装置。
【請求項７】
前記ライトガイドが、前記検知手段によって検知された音の音量レベルまたは周波数に比例する強度で照明される、請求項５または６に記載のノベルティ装置。
【請求項８】
照明の強度が、検知された音の音量レベルまたは周波数が閾値を超える度合いに関連付けられている、請求項５または６に記載のノベルティ装置。
【請求項９】
前記検知手段の感度を調整するための手段を含む、請求項１〜８のいずれか一項に記載のノベルティ装置。
【請求項１０】
前記検知手段の感度を調整するための前記手段が自動型である、請求項９に記載のノベルティ装置。
【請求項１１】
前記照明手段が、少なくとも１つの発光ダイオードを含む、請求項１〜１０のいずれか一項に記載のノベルティ装置。
【請求項１２】
前記照明手段が、
（ａ）前記ライトガイドの各端部にそれぞれ近接して設けられた２つの発光ダイオード；
（ｂ）前記ライトガイドの各端部にそれぞれ２つずつ近接して設けられた４つの発光ダイオード；
のうちの一方からなる、請求項１〜１１のいずれか一項に記載のノベルティ装置。
【請求項１３】
前記照明手段が、少なくとも２つの異なる色の光で前記ライトガイドを照明することができる、請求項１〜１２のいずれか一項に記載のノベルティ装置。
【請求項１４】
前記照明手段が、前記ライトガイドの第１の部分を第１の色で照明し、前記ライトガイドの第２の部分を前記第１の色と異なる第２の色で照明する、請求項１〜１３のいずれか一項に記載のノベルティ装置。
【請求項１５】
前記ライトガイドが、その一部が前記第１の色と前記第２の色との混合によって形成される色で照明されるように、前記第１の色および前記第２の色で同時に照明される、請求項１４に記載のノベルティ装置。
【請求項１６】
前記ライトガイドが、その一部が複数の色の混合によって形成された色で照明されるように、前記複数の色で同時に照明される、請求項１３に記載のノベルティ装置。
【請求項１７】
前記照明手段が、第１の照明手段と第２の照明手段とを含み、第１の音特性で音が検知される際に前記第１の照明手段が動作し、第２の音特性で音が検知される際に前記第２の照明手段が動作する、請求項１〜１６のいずれか一項に記載のノベルティ装置。
【請求項１８】
前記第１および第２の音特性がそれぞれ、
（ａ）所定の音量；
（ｂ）所定の周波数；
（ｃ）所定の音量範囲；
（ｄ）所定の周波数範囲；
のうちの１つである、請求項１７に記載のノベルティ装置。
【請求項１９】
それぞれが、所定の閾値レベルの音もしくは所定の閾値レベルを上回るまたは下回る音が検知されると動作する、２以上の照明手段を含み、
前記照明手段が、
（ａ）それぞれ独立的に、
（ｂ）同時に、
（ｃ）順番に、または、
（ｄ）予めプログラムされた順番に従って、
動作する、請求項１〜１８のいずれか一項に記載のノベルティ装置。
【請求項２０】
前記所定の閾値レベルを調整する手段を更に含む、請求項１９に記載のノベルティ装置。
【請求項２１】
前記ライトガイドが、音が第１の音レベルで検知される時には第１の強度で照明され、音が第２の音レベルで検知される時には第２の強度で照明され、前記第２の音レベルが前記第１の音レベルよりも小さい場合には、前記第１の強度が前記第２の強度よりも大きい、請求項１〜２０のいずれか一項に記載のノベルティ装置。
【請求項２２】
個人的な装飾装置である、請求項１〜２１のいずれか一項に記載のノベルティ装置。
【請求項２３】
前記検知手段と前記照明手段とを収容するための制御ユニットを含み、前記制御ユニットが、前記ライトガイドの少なくとも一端部に結合される、請求項１〜２２のいずれか一項に記載のノベルティ装置。
【請求項２４】
それぞれが１つ以上の前記ライトガイドに結合される、１つ以上の制御ユニットを含む、請求項２３に記載のノベルティ装置。
【請求項２５】
所定のデザインパターンを形成するように、複数の前記ライトガイドを介して相互結合された複数の制御ユニットを含む、請求項２３または２４に記載のノベルティ装置。
【請求項２６】
前記制御ユニットが、前記ライトガイドに対して取り外し可能に結合されている、請求項２３または２５に記載のノベルティ装置。
【請求項２７】
前記ライトガイドが円形状または８の字形状に配置されている、請求項２３〜２６のいずれか一項に記載のノベルティ装置。
【請求項２８】
前記制御ユニットが、
（ａ）前記制御ユニットを２つ以上のライトガイドに対して取り外し可能に結合するための結合手段と、
（ｂ）２つ以上の前記ライトガイドを照明するための照明手段と
を含む、請求項２３〜２７のいずれか一項に記載のノベルティ装置。
【請求項２９】
音を検出すると、前記照明手段が、予め設定されたプログラムにしたがって動作して前記ライトガイドを照明する、請求項１〜２８のいずれか一項に記載のノベルティ装置。
【請求項３０】
（ａ）光を導くライトガイドであって、その全長の少なくとも一部に沿って光の一部を発することができるライトガイドと、
（ｂ）前記ライトガイドに結合されるとともに、照明するための照明手段と
を含み、前記照明手段が１つ以上の所定のプログラムにしたがって光を前記ライトガイド内に方向付ける、ノベルティ装置。
【請求項３１】
前記ライトガイドが側面から発光する、請求項３０に記載のノベルティ装置。
【請求項３２】
前記照明手段が、少なくとも２つの異なる色の光で前記ライトガイドを照明することができる、請求項３０または３１のいずれか一項に記載のノベルティ装置。
【請求項３３】
前記照明手段が、前記ライトガイドの第１の部分を第１の色で照明し、前記ライトガイドの第２の部分を前記第１の色と異なる第２の色で照明する、請求項３０〜３２のいずれか一項に記載のノベルティ装置。
【請求項３４】
前記ライトガイドが、その一部が前記第１の色と前記第２の色との混合によって形成される色で照明されるように、前記第１の色および前記第２の色で同時に照明される、請求項３０〜３２のいずれか一項に記載のノベルティ装置。
【請求項３５】
前記ライトガイドが、その一部が複数の色の混合によって形成された色で照明されるように、前記複数の色で同時に照明される、請求項３０〜３２のいずれか一項に記載のノベルティ装置。
【請求項３６】
それぞれが１つ以上の前記ライトガイドに結合される、１つ以上の制御ユニットを含む、請求項３０〜３５のいずれか一項に記載のノベルティ装置。
【請求項３７】
所定のデザインパターンを形成するように、複数の前記ライトガイドを介して相互結合された複数の制御ユニットを含む、請求項３０〜３６のいずれか一項に記載のノベルティ装置。
【請求項３８】
前記制御ユニットが、前記ライトガイドに対して取り外し可能に結合されている、請求項３０〜３７のいずれか一項に記載のノベルティ装置。
【請求項３９】
前記ライトガイドが円形状または８の字形状に配置されている、請求項３０〜３８のいずれか一項に記載のノベルティ装置。
【請求項４０】
前記制御ユニットが、
（ａ）前記制御ユニットを１つ以上のライトガイドに対して取り外し可能に結合するための結合手段と、
（ｂ）１つ以上のライトガイドを照明するための照明手段と
を含む、請求項３０〜３９のいずれか一項に記載のノベルティ装置。
【請求項４１】
個人的な装飾装置である、請求項３０〜４０のいずれか一項に記載のノベルティ装置。
【請求項４２】
（ａ）光を導くライトガイドであって、その全長の少なくとも一部に沿って光の一部を発することができ、かつ、音出力電子装置に取り付けられるようになっているライトガイドと、
（ｂ）前記音出力電子装置から発せられる音に応じて前記ライトガイドの少なくとも一部を照明するための照明手段と、
を含む、発光装置。
【国際調査報告】
2005534382.tif 000012
2005534382.tif 000013
2005534382.tif 000014